Podtech/llm-jp-corpus-v4-ja_patent huggingface dataset:
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
缶胴に巻締めされる巻締め部が周縁に設けられ、この巻締め部の内面にシーリングコンパウンドが設けられた角型金属缶用蓋であって、前記巻締め部の内側に連続して缶内面側に立ち上がる凸条が設けられている角型金属缶用蓋。
【請求項２】
前記凸条の幅が２〜７ｍｍであり、中央側板部からの高さが２〜７ｍｍである請求項１に記載の角型金属缶用蓋。
【請求項３】
前記シーリングコンパウンドが、加熱接着するシーリングコンパウンドである請求項１又は２に記載の角型金属缶用蓋。
【請求項４】
請求項１〜３のいずれか一項に記載の角型金属缶用蓋が缶胴に巻締めされている角型金属缶。
【請求項５】
前記巻締め部における前記角型金属缶用蓋と前記缶胴との接着箇所のせん断強度が１６０Ｎ／１０ｍｍ２以上である請求項４に記載の角型金属缶。
【請求項６】
請求項４に記載の角型金属缶の製造方法であって、加熱接着する前記シーリングコンパウンドを前記巻締め部の内面に設け、前記角型金属缶用蓋を前記缶胴に巻締めする工程と、前記巻締め後の前記シーリングコンパウンドを加熱して加熱接着させ、前記巻締め部における前記角型金属缶用蓋と前記缶胴との接着箇所のせん断強度を１６０Ｎ／１０ｍｍ２以上とする工程とを含む角型金属缶の製造方法。
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
被取付部材に形成された取付孔へ挿入される筒状の外周壁部と、
前記外周壁部の内側に架け渡されて、前記外周壁部内を塞ぐ閉塞部と、
前記外周壁部の挿入方向と反対側の端部から前記外周壁部の径方向外側へ張り出し、前記取付孔の周辺部を覆う環状のフランジ部と、
前記外周壁部の前記挿入方向の端部側から前記径方向外側へ突出し、前記取付孔の縁部に係合する爪部と、
前記フランジ部の基端部表面に前記フランジ部の周方向に間隔をあけて形成され、底部が平面状又は湾曲面状とされた複数の凹部と、
を有し、
前記凹部は、筒状の前記外周壁部の挿入方向と反対側の端部内面から前記フランジ部の基端部表面に向けて延びている、ホールプラグ。
【請求項２】
前記凹部の開口幅は、前記フランジ部の基端部で最も大きい、請求項１に記載のホールプラグ。
【請求項３】
前記凹部の幅は、前記底部よりも前記凹部の開口側で大きくなっている、請求項１又は請求項２に記載のホールプラグ。
【請求項４】
前記凹部は、前記フランジ部に前記周方向に等間隔で形成されている、請求項１〜３のいずれか１項に記載のホールプラグ。
【請求項５】
前記凹部は、前記フランジ部に５つ以上形成されている、請求項４に記載のホールプラグ。
【請求項６】
前記閉塞部は、前記外周壁部の挿入方向の端部から前記外周壁部の径方向内側へ張り出す環状の張出部と、前記張出部の内周端部から前記挿入方向と反対側へ延びる筒状の内周壁部と、前記内周壁部の前記挿入方向と反対側の端部間に架け渡された面板部とを備える、請求項１〜５のいずれか１項に記載のホールプラグ。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
試料が移動する流路が形成された反応処理容器と、
試料を前記流路内で移動および停止させる送液手段と、
前記流路に、それぞれ異なる温度に維持された複数の温度領域を提供する温度制御手段であって、前記複数の温度領域が少なくとも第１温度領域および第２温度領域を含む温度制御手段と、
前記流路の隣り合う温度領域の間に設定された検出領域を通過する試料を検出する検出手段であって、前記検出領域が少なくとも前記流路の前記第１温度領域と前記第２温度領域の間に設定された第１検出領域を含む検出手段と、
前記検出手段によって検出された信号に基づいて、前記送液手段を制御する制御手段と、
を備える反応処理装置であって、
前記制御手段は、試料が前記第１温度領域で一定時間停止され、前記第１温度領域から前記第１検出領域を通過して前記第２温度領域に移動して一定時間停止され、その後、前記第１温度領域に戻ってきて停止するまでを１サイクルとした複数サイクルの往復移動制御を試料に対して行うよう構成され、
第ｎ＋１サイクル（ｎは１以上の整数）における前記第２温度領域での試料の目標停止位置Ｘ［２］０（ｎ＋１）は、第ｎサイクルにおける試料の停止制御の結果に基づいて、第ｎサイクルにおける前記第２温度領域での試料の目標停止位置Ｘ［２］０（ｎ）から補正されることを特徴とする反応処理装置。
【請求項２】
第ｎサイクルおよび第ｎ＋１サイクルにおける前記第２温度領域での試料の位置は、前記検出領域からの流路に沿った距離で表され、
第ｎ＋１サイクルにおける前記第２温度領域での試料の目標停止位置Ｘ［２］０（ｎ＋１）は、第ｎサイクルにおける前記第２温度領域での試料の停止位置Ｘ［２］１（ｎ）と、前記第２温度領域での設計目標停止位置Ｘ［２］００とに基づいて補正されることを特徴とする請求項１に記載の反応処理装置。
【請求項３】
第ｎサイクルにおける前記第２温度領域での試料の停止位置Ｘ［２］１（ｎ）は下記の式：
Ｘ［２］１１（ｎ）＝Ｌ／ｔ２→ｎｔｐ（ｎ）×｛ｔ２→ｎｔｍｐ（ｎ）−ｔｃ｝
で決定されるＸ［２］１１（ｎ）として求められ、
この式において、ｔ２→ｎｔｐ（ｎ）は、前記第２温度領域から次の温度領域への移動に関する、前記第２温度領域を出発した直後に通過する検出領域の通過時間であり、
ｔ２→ｎｔｍｐ（ｎ）は、前記第２温度領域から前記次の温度領域への移動に関する、試料を移動させるために前記送液手段の作動を開始してから、試料の先頭が前記直後に通過する検出領域に到達したと前記制御手段が認識するまでの時間であることを特徴とする請求項２に記載の反応処理装置。
【請求項４】
前記第２温度領域での試料の実際の停止位置Ｘ［２］１（ｎ）と、前記式で求められた前記第２温度領域での試料の停止位置Ｘ［２］１１（ｎ）との差分が、最大３ｍｍであることを特徴とする請求項３に記載の反応処理装置。
【請求項５】
第ｎ＋１サイクルにおける前記第１温度領域での試料の目標停止位置Ｘ［１］０（ｎ＋１）は、第ｎサイクルにおける試料の停止制御の結果に基づいて、第ｎサイクルにおける前記第１温度領域での試料の目標停止位置Ｘ［１］０（ｎ）から補正されることを特徴とする請求項１から４のいずれかに記載の反応処理装置。
【請求項６】
前記反応処理装置は、蛍光検出器を備え、
前記蛍光検出器の光学ヘッドが、前記検出領域を通過する試料からの蛍光を検出するように配置されることを特徴とする請求項１から５のいずれかに記載の反応処理装置。
【請求項７】
試料が移動する流路が形成された反応処理容器と、
試料を前記流路内で移動および停止させる送液手段と、
前記流路に、それぞれ異なる温度に維持された複数の温度領域を提供する温度制御手段であって、前記複数の温度領域が少なくとも第１温度領域および第２温度領域を含む温度制御手段と、
前記流路の隣り合う温度領域の間に設定された検出領域を通過する試料を検出する検出手段であって、前記検出領域が少なくとも前記流路の前記第１温度領域と前記第２温度領域の間に設定された第１検出領域を含む検出手段と、
を備える反応処理装置において、前記検出手段によって検出された信号に基づいて前記送液手段を制御する制御手段であって、
当該制御手段は、試料が前記第１温度領域で一定時間停止され、前記第１温度領域から前記第１検出領域を通過して前記第２温度領域に移動して一定時間停止され、その後、前記第１温度領域に戻ってきて停止するまでを１サイクルとした複数サイクルの往復移動制御を試料に対して行うよう構成され、
第ｎ＋１サイクルにおける前記第２温度領域での試料の目標停止位置Ｘ［２］０（ｎ＋１）は、第ｎサイクルにおける前記第２温度領域での試料の停止位置Ｘ［２］１（ｎ）と、前記第２温度領域での設計目標停止位置Ｘ［２］００とに基づいて補正され、
第ｎサイクルにおける前記第２温度領域での試料の停止位置Ｘ［２］１（ｎ）は下記の式：
Ｘ［２］１１（ｎ）＝Ｌ／ｔ２→ｎｔｐ（ｎ）×｛ｔ２→ｎｔｍｐ（ｎ）−ｔｃ｝
で決定されるＸ［２］１１（ｎ）として求められ、
この式において、ｔ２→ｎｔｐ（ｎ）は、前記第２温度領域から次の温度領域への移動に関する、前記第２温度領域を出発した直後に通過する検出領域の通過時間であり、
ｔ２→ｎｔｍｐ（ｎ）は、前記第２温度領域から前記次の温度領域への移動に関する、試料を移動させるために前記送液手段の作動を開始してから、試料の先頭が前記直後に通過する検出領域に到達したと前記制御手段が認識するまでの時間である、
ことを特徴とする前記反応処理装置における試料の送液のための制御手段。
【手続補正２】
【補正対象書類名】明細書
【補正対象項目名】発明の名称
【補正方法】変更
【補正の内容】
【発明の名称】反応処理装置および反応処理装置における試料の送液のための制御手段
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
演出受付が許容される受付演出を発生させる受付演出実行手段と
を備え、
前記受付演出として、第１の受付演出及び第２の受付演出が少なくとも用意されており、
前記第１の受付演出は、
演出受付が許容される設定時間内で操作が検出されないときには受付後演出を発生させずに当該設定時間が終了されるものであり、
前記第２の受付演出は、
演出受付が許容される設定時間内で操作が検出されないときにも該設定時間内で操作が検出されたときと同じ受付後演出を発生させるものであり、
前記第１の受付演出及び前記第２の受付演出のうち、前記第１の受付演出では、操作を行うべき旨の文字情報としてのメッセージ表示が行われることがないが、前記第２の受付演出では、操作を行うべき旨の文字情報としてのメッセージ表示が行われるようになっており、
前記メッセージ表示は、前記設定時間内で操作が検出されたことに基づいて演出受付がなされた場合は、該演出受付がなされたことに基づいて該設定時間が未だ経過し終わっていない段階で非表示にされうるが、前記設定時間内で操作が検出されることなく前記受付後演出が実行開始される場合は、演出受付が許容されなくなっており且つ前記受付後演出が実行開始される時点においても非表示にされず前記演出受付がなされたことを契機とした表示変化を何ら生じさせずに表示されており、
さらに、
前記受付演出が発生する場合、演出受付が許容される状態になったこと、または演出受付が許容される状態になることを示唆する受付許容音を出力可能な許容音出力手段を備え、
前記受付許容音として、遊技者に対して操作すべきことを言葉として発するメッセージ音と、何ら言葉は発しない非メッセージ音とが用意されており、
前記第１の受付演出が発生する場合は、当該第１の受付演出に対応する前記受付許容音として前記メッセージ音は可聴出力されず前記非メッセージ音が可聴出力されうるが、前記第２の受付演出が発生する場合は、当該第２の受付演出に対応する前記受付許容音として前記メッセージ音だけでなく前記非メッセージ音も可聴出力されうるようになっており、
さらに、
前記第１の受付演出と前記第２の受付演出とは、１つの変動パターン内で順次に発生しうるものである
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
演出受付が許容される受付演出を発生させる受付演出実行手段と
を備え、
前記受付演出として、第１の受付演出及び第２の受付演出が少なくとも用意されており、
前記第１の受付演出は、
演出受付が許容される設定時間内で操作が検出されないときには受付後演出を発生させずに当該設定時間が終了されるものであり、
前記第２の受付演出は、
演出受付が許容される設定時間内で操作が検出されないときにも該設定時間内で操作が検出されたときと同じ受付後演出を発生させるものであり、
前記第１の受付演出及び前記第２の受付演出のうち、前記第１の受付演出では、操作を行うべき旨の文字情報としてのメッセージ表示が行われることがないが、前記第２の受付演出では、操作を行うべき旨の文字情報としてのメッセージ表示が行われるようになっており、
前記メッセージ表示は、前記設定時間内で操作が検出されたことに基づいて演出受付がなされた場合は、該演出受付がなされたことに基づいて該設定時間が未だ経過し終わっていない段階で非表示にされうるが、前記設定時間内で操作が検出されることなく前記受付後演出が実行開始される場合は、演出受付が許容されなくなっており且つ前記受付後演出が実行開始される時点においても非表示にされず前記演出受付がなされたことを契機とした表示変化を何ら生じさせずに表示されており、
さらに、
前記受付演出が発生する場合、演出受付が許容される状態になったこと、または演出受付が許容される状態になることを示唆する受付許容音を出力可能な許容音出力手段を備え、
前記受付許容音として、遊技者に対して操作すべきことを言葉として発するメッセージ音と、何ら言葉は発しない非メッセージ音とが用意されており、
前記第１の受付演出が発生する場合は、当該第１の受付演出に対応する前記受付許容音として前記メッセージ音は可聴出力されず前記非メッセージ音が可聴出力されうるが、前記第２の受付演出が発生する場合は、当該第２の受付演出に対応する前記受付許容音として前記メッセージ音だけでなく前記非メッセージ音も可聴出力されうるようになっており、
さらに、
前記第１の受付演出と前記第２の受付演出とは、１つの変動パターン内で順次に発生しうるものである
ことを特徴とする遊技機。
【手続補正４】
【補正対象書類名】明細書
【補正対象項目名】０００８
【補正方法】削除
【補正の内容】
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者による所定操作の受付けが許容される操作受付期間を発生可能であり、該操作受付期間内において所定操作の受付けがなされると、該受付けがなされたことに基づいて受付後演出を実行可能な所定操作受付演出実行手段と
を備え、
前記操作受付期間では、該操作受付期間内で受付けがなされないときに該受付けがなされたときと同じ受付後演出を発生させる場合がある遊技機であって、
前記操作受付期間は、前記所定操作の受付けがなされると、前記受付後演出を通じて前記特典が付与される期待度を示唆するものであり、
前記操作受付期間の発生に際しては、遊技者による所定操作の受付けが許容される状態になったこと、または該受付けが許容される状態になることを示唆する受付許容音が出力可能とされており、
前記操作受付期間の発生に際し、前記受付許容音として特別許容音が出力される場合は、該操作受付期間内で所定操作の受付けがなされないときに該受付けがなされたときと同じ受付後演出を発生させ、
前記操作受付期間の発生に際し、前記受付許容音として前記特別許容音とは異なる所定許容音が出力される場合は、該操作受付期間内で所定操作の受付けがなされないときに該受付けがなされたときと同じ受付後演出を発生させるときと、該受付けがなされたときと同じ受付後演出を発生させないときとがあり、
前記操作受付期間の発生に際し、前記受付許容音がいずれの態様によっても出力されない場合は、該操作受付期間内で所定操作の受付けがなされないときに該受付けがなされたときと同じ受付後演出を発生させないようになっており、
さらに、
特定ＢＧＭが可聴出力可能とされており、
前記特定ＢＧＭが抑制態様で可聴出力されているか、または非可聴にされている状態において前記所定操作の受付けが許容される前記操作受付期間が発生する場合は、該操作受付期間の発生に際し、前記受付許容音として前記所定許容音が出力される場合と前記特別許容音が出力される場合とがあり、
前記特定ＢＧＭが非抑制態様で可聴出力されている状態において前記所定操作の受付けが許容される前記操作受付期間が発生する場合は、該操作受付期間の発生に際し、前記受付許容音として前記所定許容音が出力される場合はあるが、前記特別許容音が出力されることはないようになっており、
さらに、
前記所定操作の対象を摸した摸画像表示を表示可能であり、該摸画像表示を表示するときの態様として第１態様及び第２態様が少なくとも用意されており、
前記操作受付期間において前記摸画像表示が前記第１態様で表示されている場合は、該操作受付期間内で受付けがなされないときに該受付けがなされたときと同じ受付後演出を必ず発生させるが、前記操作受付期間において前記摸画像表示が前記第２態様で表示されている場合は、該操作受付期間内で受付けがなされないときに該受付けがなされたときと同じ受付後演出を発生させない場合と、該操作受付期間内で受付けがなされないときに該受付けがなされたときと同じ受付後演出を発生させる場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
遊技者による所定操作の受付けが許容される操作受付期間を発生可能であり、該操作受付期間内において所定操作の受付けがなされると、該受付けがなされたことに基づいて受付後演出を実行可能な所定操作受付演出実行手段と
を備え、
前記操作受付期間では、該操作受付期間内で受付けがなされないときに該受付けがなされたときと同じ受付後演出を発生させる場合がある遊技機であって、
前記操作受付期間は、前記所定操作の受付けがなされると、前記受付後演出を通じて前記特典が付与される期待度を示唆するものであり、
前記操作受付期間の発生に際しては、遊技者による所定操作の受付けが許容される状態になったこと、または該受付けが許容される状態になることを示唆する受付許容音が出力可能とされており、
前記操作受付期間の発生に際し、前記受付許容音として特別許容音が出力される場合は、該操作受付期間内で所定操作の受付けがなされないときに該受付けがなされたときと同じ受付後演出を発生させ、
前記操作受付期間の発生に際し、前記受付許容音として前記特別許容音とは異なる所定許容音が出力される場合は、該操作受付期間内で所定操作の受付けがなされないときに該受付けがなされたときと同じ受付後演出を発生させるときと、該受付けがなされたときと同じ受付後演出を発生させないときとがあり、
前記操作受付期間の発生に際し、前記受付許容音がいずれの態様によっても出力されない場合は、該操作受付期間内で所定操作の受付けがなされないときに該受付けがなされたときと同じ受付後演出を発生させないようになっており、
さらに、
特定ＢＧＭが可聴出力可能とされており、
前記特定ＢＧＭが抑制態様で可聴出力されているか、または非可聴にされている状態において前記所定操作の受付けが許容される前記操作受付期間が発生する場合は、該操作受付期間の発生に際し、前記受付許容音として前記所定許容音が出力される場合と前記特別許容音が出力される場合とがあり、
前記特定ＢＧＭが非抑制態様で可聴出力されている状態において前記所定操作の受付けが許容される前記操作受付期間が発生する場合は、該操作受付期間の発生に際し、前記受付許容音として前記所定許容音が出力される場合はあるが、前記特別許容音が出力されることはないようになっており、
さらに、
前記所定操作の対象を摸した摸画像表示を表示可能であり、該摸画像表示を表示するときの態様として第１態様及び第２態様が少なくとも用意されており、
前記操作受付期間において前記摸画像表示が前記第１態様で表示されている場合は、該操作受付期間内で受付けがなされないときに該受付けがなされたときと同じ受付後演出を必ず発生させるが、前記操作受付期間において前記摸画像表示が前記第２態様で表示されている場合は、該操作受付期間内で受付けがなされないときに該受付けがなされたときと同じ受付後演出を発生させない場合と、該操作受付期間内で受付けがなされないときに該受付けがなされたときと同じ受付後演出を発生させる場合との両方がある
ことを特徴とする遊技機。
【手続補正４】
【補正対象書類名】明細書
【補正対象項目名】０００８
【補正方法】削除
【補正の内容】
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
演出に供される第１演出手段及び第２演出手段と、
遊技者による操作の受付けが許容される操作受付演出期間を発生させるとともに、該操作受付演出期間において操作の受付けがなされると、該受付けがなされたことに基づいて前記第１演出手段による演出及び前記第２演出手段による演出が並行して行われる操作後演出を実行可能な受付演出実行手段と
を備え、
前記操作受付演出期間として、第１操作受付演出期間及び第２操作受付演出期間を含めた複数の操作受付演出期間が用意されており、
前記第１操作受付演出期間において操作の受付けがなされると、該受付けがなされたことに基づいて、前記操作後演出として、該操作の受付けがなされたタイミングによって前記第１演出手段による演出及び前記第２演出手段による演出の並行される期間の長さに変化が生じる態様をもった第１操作後演出が実行可能とされ、
前記第２操作受付演出期間において操作の受付けがなされると、該受付けがなされたことに基づいて、前記操作後演出として、該操作の受付けがなされたタイミングにかかわらず前記第１演出手段による演出及び前記第２演出手段による演出の並行される期間の長さが不変とされる態様をもった第２操作後演出が実行可能とされ、
前記第１操作後演出及び前記第２操作後演出のうち、前記第１演出手段による演出及び前記第２演出手段による演出の並行される期間の長さが不変とされる態様をもった前記第２操作後演出は、前記第２操作受付演出期間で操作の受付けがなされない場合に実行されないが、前記第１演出手段による演出及び前記第２演出手段による演出の並行される期間の長さに変化が生じる態様をもった前記第１操作後演出は、前記第１操作受付演出期間で操作の受付けがなされない場合であっても特定タイミングが到来したことに基づいて必ず実行されるものであり、
前記第１操作受付演出期間は、前記特定タイミングが到来するまで遊技者による操作の受付けが許容される期間として発生するものであり、
さらに、
前記操作受付演出期間が発生することを示唆する前兆演出表示として第１前兆演出表示が表示される場合と第２前兆演出表示が表示される場合とが少なくともあり、
前記第１前兆演出表示が表示される場合は、該第１前兆演出表示に対応する前記操作受付演出期間として、前記操作の受付けがなされないときに該操作の受付けがなされたときと同じ受付後演出を発生させる操作受付演出期間が必ず発生する状況下にあり、
前記第２前兆演出表示が表示される場合は、該第２前兆演出表示に対応する前記操作受付演出期間として、前記操作の受付けがなされないときに該操作の受付けがなされたときと同じ受付後演出を発生させる操作受付演出期間が発生する状況下にある場合と前記操作の受付けがなされないときに該操作の受付けがなされたときと同じ受付後演出を発生させない操作受付演出期間が発生する状況下にある場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
演出に供される第１演出手段及び第２演出手段と、
遊技者による操作の受付けが許容される操作受付演出期間を発生させるとともに、該操作受付演出期間において操作の受付けがなされると、該受付けがなされたことに基づいて前記第１演出手段による演出及び前記第２演出手段による演出が並行して行われる操作後演出を実行可能な受付演出実行手段と
を備え、
前記操作受付演出期間として、第１操作受付演出期間及び第２操作受付演出期間を含めた複数の操作受付演出期間が用意されており、
前記第１操作受付演出期間において操作の受付けがなされると、該受付けがなされたことに基づいて、前記操作後演出として、該操作の受付けがなされたタイミングによって前記第１演出手段による演出及び前記第２演出手段による演出の並行される期間の長さに変化が生じる態様をもった第１操作後演出が実行可能とされ、
前記第２操作受付演出期間において操作の受付けがなされると、該受付けがなされたことに基づいて、前記操作後演出として、該操作の受付けがなされたタイミングにかかわらず前記第１演出手段による演出及び前記第２演出手段による演出の並行される期間の長さが不変とされる態様をもった第２操作後演出が実行可能とされ、
前記第１操作後演出及び前記第２操作後演出のうち、前記第１演出手段による演出及び前記第２演出手段による演出の並行される期間の長さが不変とされる態様をもった前記第２操作後演出は、前記第２操作受付演出期間で操作の受付けがなされない場合に実行されないが、前記第１演出手段による演出及び前記第２演出手段による演出の並行される期間の長さに変化が生じる態様をもった前記第１操作後演出は、前記第１操作受付演出期間で操作の受付けがなされない場合であっても特定タイミングが到来したことに基づいて必ず実行されるものであり、
前記第１操作受付演出期間は、前記特定タイミングが到来するまで遊技者による操作の受付けが許容される期間として発生するものであり、
さらに、
前記操作受付演出期間が発生することを示唆する前兆演出表示として第１前兆演出表示が表示される場合と第２前兆演出表示が表示される場合とが少なくともあり、
前記第１前兆演出表示が表示される場合は、該第１前兆演出表示に対応する前記操作受付演出期間として、前記操作の受付けがなされないときに該操作の受付けがなされたときと同じ受付後演出を発生させる操作受付演出期間が必ず発生する状況下にあり、
前記第２前兆演出表示が表示される場合は、該第２前兆演出表示に対応する前記操作受付演出期間として、前記操作の受付けがなされないときに該操作の受付けがなされたときと同じ受付後演出を発生させる操作受付演出期間が発生する状況下にある場合と前記操作の受付けがなされないときに該操作の受付けがなされたときと同じ受付後演出を発生させない操作受付演出期間が発生する状況下にある場合との両方がある
ことを特徴とする遊技機。
【手続補正４】
【補正対象書類名】明細書
【補正対象項目名】０００８
【補正方法】削除
【補正の内容】
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
エラストマーおよび圧電粒子を含む圧電層と、該圧電層を挟んで配置される電極層と、積層方向の少なくとも最外層に配置される弾性体層と、を有する圧電素子と、
該圧電素子を収容し、エラストマーを有する外装材と、を備え、
該圧電素子の該最外層の二つの該弾性体層は該外装材に被覆されており、
押圧により該圧電素子が伸張する方向における該外装材と該圧電素子との間には、気体、不揮発性の液体、および該弾性体層よりも弾性率が小さい固体の少なくとも一つが収容される緩衝部が区画されることを特徴とするトランスデューサ。
【請求項２】
前記緩衝部には、気体が収容される請求項１に記載のトランスデューサ。
【請求項３】
前記圧電素子は、複数の前記圧電層を有し、該圧電層は前記電極層を介して積層される請求項１または請求項２に記載のトランスデューサ。
【請求項４】
前記弾性体層は、隣接する前記電極層間に介装される請求項３に記載のトランスデューサ。
【請求項５】
前記弾性体層の弾性率は、５０ＭＰａ以下である請求項１ないし請求項４のいずれかに記載のトランスデューサ。
【請求項６】
前記圧電層と、該圧電層を挟んで配置される一対の前記電極層と、からなるユニットの破断伸びは、１０％以上である請求項１ないし請求項５のいずれかに記載のトランスデューサ。
【請求項７】
前記電極層の、自然状態およびそれから一軸方向に１０％伸張した状態に至るまでの伸張状態の体積抵抗率は、１００Ω・ｃｍ以下である請求項１ないし請求項６のいずれかに記載のトランスデューサ。
【請求項８】
前記圧電素子において、前記最外層の伸張方向に延在する面を表面とした場合、
該圧電素子の該表面は、前記外装材に接着されていない請求項１ないし請求項７のいずれかに記載のトランスデューサ。
【請求項９】
前記圧電素子において、前記最外層の伸張方向に延在する面を表面とした場合、
該圧電素子の該表面の少なくとも一部は、前記外装材に接着されている請求項１ないし請求項７のいずれかに記載のトランスデューサ。
【請求項１０】
前記外装材は、袋状を呈する請求項１ないし請求項９のいずれかに記載のトランスデューサ。
【請求項１１】
前記圧電素子は、シート状の該圧電素子が巻回されてなり、
該圧電素子の積層方向断面は渦巻き状を呈する請求項１ないし請求項１０のいずれかに記載のトランスデューサ。
【請求項１２】
前記外装材は、前記圧電素子と共に巻回される請求項１１に記載のトランスデューサ。
【請求項１３】
前記外装材は、ブチルゴムを有する請求項１ないし請求項１２のいずれかに記載のトランスデューサ。
【請求項１４】
前記外装材は、タルク、クレー、モンモリロナイト、合成スメクタイトから選ばれる一種以上を有する請求項１ないし請求項１３のいずれかに記載のトランスデューサ。
【請求項１５】
前記外装材は、吸水性ポリマーを有する請求項１ないし請求項１４のいずれかに記載のトランスデューサ。
【請求項１６】
発電装置として用いられる請求項１ないし請求項１５のいずれかに記載のトランスデューサ。
【請求項１７】
請求項１６に記載のトランスデューサと、
該トランスデューサから電気エネルギーを取り出すための電気回路と、
を備える発電システム。
【請求項１８】
前記トランスデューサを複数有する請求項１７に記載の発電システム。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
第一通信端末と、第二通信端末と、前記第一通信端末および前記第二通信端末と無線ネットワークで接続された中継装置とを備える複数のサブシステムが、前記中継装置どうしをネットワークで接続することにより構成された通信システムにおける中継装置であって、
他のサブシステムにおける前記中継装置と有線通信する有線ネットワークインターフェース部と、
前記第一通信端末および前記第二通信端末と無線通信する無線ネットワークインターフェース部と、
前記第一通信端末から前記第二通信端末に向けて機器情報を取得するための信号を受信する受信部と、
前記機器情報を取得するための信号にもとづき、自サブシステム内の第二通信端末のみに機器情報を取得するための信号を送信する通信制御部と、
を備える中継装置。
【請求項２】
前記受信部は、さらに前記第一通信端末から、前記第二通信端末との情報を相互共有するための要求コマンドを受信し、
前記通信制御部は、さらに前記要求コマンドを受信した場合、前記第一通信端末のユーザにより選択された前記第二通信端末のみに当該要求コマンドを送信し、当該要求コマンドを送信した前記第二通信端末からの応答を前記第一通信端末に送信する、
請求項１に記載の中継装置。
【請求項３】
第一通信端末と、第二通信端末と、前記第一通信端末および前記第二通信端末と無線ネットワークで接続された中継装置とを備える複数のサブシステムが、前記中継装置どうしをネットワークで接続することにより構成された通信システムであって、
前記第一通信端末は、
機器情報を取得するための信号、または前記第二通信端末との情報を相互共有するための要求コマンドをユーザから受け付ける管理手段を備え、
前記中継装置は、
他のサブシステムにおける前記中継装置と有線通信する有線ネットワークインターフェース部と、
前記第一通信端末および前記第二通信端末と無線通信する無線ネットワークインターフェース部と、
前記第一通信端末から前記第二通信端末に向けて機器情報を取得するための信号を受信する受信部と、
前記機器情報を取得するための信号にもとづき、自サブシステム内の第二通信端末のみに機器情報を取得するための信号を送信する通信制御部と、
を備え、
前記第二通信端末は、
機器情報を取得するための信号を受信したか否かを判断し、自装置の機器情報を送信し、前記第一通信端末から、前記第二通信端末との情報を相互共有するための要求コマンドを受信した場合に要求コマンドの応答を即座に送信する制御部
を備える
通信システム。
【手続補正２】
【補正対象書類名】明細書
【補正対象項目名】００３１
【補正方法】変更
【補正の内容】
【００３１】
また、通信システム１００において、通信端末２と通信端末３は、無線リンク１２および１３を経由し中継装置１を介して相互に無線通信を行う。具体的には、通信システム１００において、通信端末２は、通信端末２のユーザが通信端末２の画面に表示した画像（音声データが含まれてもよい）および動画を、中継装置１を介して、表示装置４に表示したり、通信端末３の画面に表示したりすることができる。具体的には、例えば、教室１５において、通信端末２は教師等によって用いられ、通信端末２の画面に表示された画像を、表示装置４（例えば大画面モニタ）や複数の生徒等によって用いられる通信端末３の各画面で見せることができる。
【手続補正３】
【補正対象書類名】明細書
【補正対象項目名】００７０
【補正方法】変更
【補正の内容】
【００７０】
通信制御部３４は、通信端末３から取得した「授業参加指示」に対する応答を通信端末２に向けて随時、送信する。
【手続補正４】
【補正対象書類名】明細書
【補正対象項目名】０１０９
【補正方法】変更
【補正の内容】
【０１０９】
ステップＳ６４にて、通信端末２の制御部４３は、ステップＳ６３の判断（ステップＳ６３のＹｅｓ）をもとに、通信端末２の管理手段４２１を用いて、ステップ６１の通信端末２の指示部４２が受け付けた「機器情報取得指示」に対する応答内容（具体的には、通信端末３それぞれの機器情報など）を、記憶装置に記憶させる。そして、通信端末２の画面表示部４１は自装置の画面に機器情報などを表示する。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作を受ける操作受け部を有する操作手段と、
所定の遊技状態において操作機会が付与される受付許容期間を発生可能であり、該受付許容期間において操作受付されると受付後演出を生じさせる受付期間発生手段と、
前記操作受け部を摸した摸画像表示を表示可能な摸画像表示手段と
を備え、
前記受付期間発生手段は、遊技者による演出設定ではなく、前記判定手段による判定の結果に基づいて、
遊技者による操作によって前記操作受付がなされた場合、該操作受付がなされたことに基づいて受付後演出を発生させ、該操作受付がなくても該操作受付がなされたときと同じ受付後演出を発生させるように、遊技者に対して操作機会を付与する自動受付許容期間として前記受付許容期間を発生させる場合と、
遊技者による操作によって前記操作受付がなされた場合、該操作受付がなされたことに基づいて受付後演出を発生させ、該操作受付がなされない場合、該操作受付がなされたときと同じ受付後演出を発生させないように、遊技者に対して操作機会を付与する非自動受付許容期間として前記受付許容期間を発生させる場合とがあり、
さらに、
前記受付許容期間として、第１受付許容期間及び第２受付許容期間を含む複数の受付許容期間が用意されており、
前記第１受付許容期間は、前記判定手段の判定結果に応じた第１条件が満たされると、前記非自動受付許容期間として発生することがなく前記自動受付許容期間として発生するものであり、当該第１受付許容期間が発生する場合、これに先立って第１前演出表示が所定の表示領域を用いて実行開始されるようになっており、
前記第２受付許容期間は、前記判定手段の判定結果に応じた前記第１条件とは異なる第２条件が満たされると、前記非自動受付許容期間として発生するものであり、当該第２受付許容期間が発生する場合、これに先立って第２前演出表示が前記所定の表示領域のうち前記第１前演出表示よりも小さな領域を用いて実行開始されるようになっており、
前記第１受付許容期間が発生する場合、前記第１前演出表示は、当該第１受付許容期間が発生するタイミングを跨るように表示され、前記摸画像表示は、該第１前演出表示が表示されているなかでその背後側に重なって見えるように表示され、
前記第２受付許容期間が発生する場合、前記第２前演出表示は、当該第２受付許容期間が発生するタイミングを跨るように表示され、前記摸画像表示は、該第２前演出表示が表示されているなかでその背後側に重なって見えるように表示され、
さらに、
前記摸画像表示を表示するときの態様として第１態様及び第２態様が少なくとも用意されており、
遊技者に対して操作機会が付与されているときに前記摸画像表示が前記第１態様で表示されている場合は、前記非自動受付許容期間が発生している状況下にあることはなく前記自動受付許容期間が必ず発生している状況下にあり、遊技者に対して操作機会が付与されているときに前記摸画像表示が前記第２態様で表示されている場合は、前記自動受付許容期間が発生している状況下にある場合と前記非自動受付許容期間が発生している状況下にある場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作を受ける操作受け部を有する操作手段と、
所定の遊技状態において操作機会が付与される受付許容期間を発生可能であり、該受付許容期間において操作受付されると受付後演出を生じさせる受付期間発生手段と、
前記操作受け部を摸した摸画像表示を表示可能な摸画像表示手段と
を備え、
前記受付期間発生手段は、遊技者による演出設定ではなく、前記判定手段による判定の結果に基づいて、
遊技者による操作によって前記操作受付がなされた場合、該操作受付がなされたことに基づいて受付後演出を発生させ、該操作受付がなくても該操作受付がなされたときと同じ受付後演出を発生させるように、遊技者に対して操作機会を付与する自動受付許容期間として前記受付許容期間を発生させる場合と、
遊技者による操作によって前記操作受付がなされた場合、該操作受付がなされたことに基づいて受付後演出を発生させ、該操作受付がなされない場合、該操作受付がなされたときと同じ受付後演出を発生させないように、遊技者に対して操作機会を付与する非自動受付許容期間として前記受付許容期間を発生させる場合とがあり、
さらに、
前記受付許容期間として、第１受付許容期間及び第２受付許容期間を含む複数の受付許容期間が用意されており、
前記第１受付許容期間は、前記判定手段の判定結果に応じた第１条件が満たされると、前記非自動受付許容期間として発生することがなく前記自動受付許容期間として発生するものであり、当該第１受付許容期間が発生する場合、これに先立って第１前演出表示が所定の表示領域を用いて実行開始されるようになっており、
前記第２受付許容期間は、前記判定手段の判定結果に応じた前記第１条件とは異なる第２条件が満たされると、前記非自動受付許容期間として発生するものであり、当該第２受付許容期間が発生する場合、これに先立って第２前演出表示が前記所定の表示領域のうち前記第１前演出表示よりも小さな領域を用いて実行開始されるようになっており、
前記第１受付許容期間が発生する場合、前記第１前演出表示は、当該第１受付許容期間が発生するタイミングを跨るように表示され、前記摸画像表示は、該第１前演出表示が表示されているなかでその背後側に重なって見えるように表示され、
前記第２受付許容期間が発生する場合、前記第２前演出表示は、当該第２受付許容期間が発生するタイミングを跨るように表示され、前記摸画像表示は、該第２前演出表示が表示されているなかでその背後側に重なって見えるように表示され、
さらに、
前記摸画像表示を表示するときの態様として第１態様及び第２態様が少なくとも用意されており、
遊技者に対して操作機会が付与されているときに前記摸画像表示が前記第１態様で表示されている場合は、前記非自動受付許容期間が発生している状況下にあることはなく前記自動受付許容期間が必ず発生している状況下にあり、遊技者に対して操作機会が付与されているときに前記摸画像表示が前記第２態様で表示されている場合は、前記自動受付許容期間が発生している状況下にある場合と前記非自動受付許容期間が発生している状況下にある場合との両方がある
ことを特徴とする遊技機。
【手続補正４】
【補正対象書類名】明細書
【補正対象項目名】０００８
【補正方法】削除
【補正の内容】
【手続補正書】
【提出日】令和2年11月12日(2020.11.12)
【手続補正１】
【補正対象書類名】明細書
【補正対象項目名】０００８
【補正方法】変更
【補正の内容】
【０００８】
また、本発明は、前記選択操作により選択された前記インターフェースボードのエラーを検出するエラー検出部と、通知部と、を備え、前記電源制御部は、前記接続部に接続された第１のインターフェースボードに電源供給を行い第２のインターフェースボードに電源供給を行っていない状態で、前記選択操作により選択された前記第２のインターフェースボードにおけるエラーを前記エラー検出部が検出した場合、前記第１のインターフェースボードへの電源供給を維持して、前記エラー検出部が検出したエラーを前記通知部により通知させる。
本発明によれば、選択操作により選択された第２のインターフェースボードにおけるエラーをエラー検出部が検出した場合、第１のインターフェースボードへの電源供給を維持して、エラー検出部が検出したエラーを通知部により通知させるため、エラーの拡大を防止しつつ、選択したインターフェースボードにおいて検出したエラーをユーザーに認識させることができる。
【手続補正２】
【補正対象書類名】明細書
【補正対象項目名】００１２
【補正方法】変更
【補正の内容】
【００１２】
プロジェクター１００は、投射対象に画像光を投射して、投射対象の面に画像情報に基づく画像を形成する。プロジェクター１００が画像を投射する投射対象は、平面であっても曲面や凹凸面であってもよいが、本実施形態では、平面で構成されるスクリーンＳＣに投射する場合を例示する。スクリーンＳＣは、壁面等の固定された面を利用してもよく、吊り下げ式や立ち上げ式の幕状のスクリーンであってもよい。プロジェクター１００は、画像光を投射する投射開口部１１４が設けられる。投射開口部１１４は、プロジェクター１００に内蔵される投射光学系１１３（図２参照）が光を投射する開口部である。
【手続補正３】
【補正対象書類名】明細書
【補正対象項目名】００５３
【補正方法】変更
【補正の内容】
【００５３】
例えば、開口Ｋ１、及び開口Ｋ２のそれぞれにインターフェースボードＩＦ１が挿し込まれ、プロジェクター１００には、２枚のインターフェースボードＩＦ１が接続しているとする。この場合、記憶部１６０にインターフェースボードＩＦ１の種類同士の組み合わせが記憶されているため、投射制御部１７１は、ステップＳ６において肯定判別を行う。
また、例えば、図１に示すように開口Ｋ１にインターフェースボードＩＦ１が挿し込まれ、開口Ｋ２にインターフェースボードＩＦ２が挿し込まれ、プロジェクター１００には、インターフェースボードＦ１とインターフェースボードＩＦ２との２枚のインターフェースボードＩＦが接続しているとする。この場合、記憶部１６０にはインターフェースボードＩＦ１とインターフェースボードＩＦ２との種類の組み合わせが記憶されていないため、投射制御部１７１は、ステップＳ６において否定判別を行う。
【手続補正４】
【補正対象書類名】明細書
【補正対象項目名】００６５
【補正方法】変更
【補正の内容】
【００６５】
例えば、開口Ｋ１、及び開口Ｋ２のそれぞれにインターフェースボードＩＦ１が挿し込まれており、プロジェクター１００には、２枚のインターフェースボードＩＦ１が接続しているものとする。そして、開口Ｋ１に挿し込まれたインターフェースボードＩＦ１へ電源供給が行われており、開口Ｋ２に挿し込まれたインターフェースボードＩＦ１には電源供給が行われていないものとする。この場合に、入力切替画面において開口Ｋ２に挿し込まれたインターフェースボードＩＦ１の入力端子が選択されると、電源制御部１７３は、まず、開口Ｋ１に挿し込まれたインターフェースボードＩＦ１への電源供給を停止する。
そして、その後に、電源制御部１７３は、開口Ｋ２に挿し込まれたインターフェースボードＩＦ１に電源供給を開始する。
この例では、開口Ｋ１に挿し込まれたインターフェースボードＩＦ１が本発明の「第１のインターフェースボード」に相当する。また、開口Ｋ２に挿し込まれたインターフェースボードＩＦ１が本発明の「第２のインターフェースボード」に相当する。
【手続補正５】
【補正対象書類名】明細書
【補正対象項目名】００９０
【補正方法】変更
【補正の内容】
【００９０】
この構成によれば、選択操作により選択されたインターフェースボードＩＦで検出されたエラーの拡大を防止しつつ、このインターフェースボードＩＦで検出されたエラーをユーザーに認識させることができる。
【手続補正書】
【提出日】令和2年1月27日(2020.1.27)
【手続補正１】
【補正対象書類名】特許請求の範囲
【補正対象項目名】請求項１３
【補正方法】変更
【補正の内容】
【請求項１３】
第１の基地局装置の制御の下で前記第１の基地局装置および第２の基地局装置と並行して無線通信することができる端末装置の制御方法であって、
受信手段が、前記第２の基地局装置との間の通信が前記端末装置と中継装置との通信を介して中継される場合に、前記中継装置と前記端末装置との間の無線品質の報告先に関する情報を少なくとも含んだ第１の信号を受信する受信工程と、
取得手段が、前記無線品質の情報を取得する取得工程と、
決定手段が、前記無線品質の報告先の情報に少なくとも基づいて、前記無線品質の情報の送信先を決定する決定工程と、
送信手段が、決定した前記送信先に、前記無線品質の情報を含んだ第２の信号を送信する送信工程と、
を有することを特徴とする制御方法。
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
放送番組と前記放送番組に付加されたアプリケーション機能を実現するアプリケーションデータとを放送信号により放送する送信装置において、
前記アプリケーションデータのファイルを生成するアプリケーションデータ生成部と、
前記アプリケーションデータ生成部が生成した前記ファイルを前記放送信号により送信する際の制御情報を生成する制御信号生成部と、
前記放送番組を構成する映像データと音声データ、前記アプリケーションデータ生成部が生成する前記アプリケーションデータおよび前記制御信号生成部が生成する前記制御情報とを多重化して多重化ストリームを生成する多重化部と、
前記多重化ストリームを送信する送信部と、
を有し、
前記アプリケーションデータ生成部は、アプリケーションを構成するファイルのディレクトリ構成としてbase_directory_path、及び、directory_node_pathを生成し、
前記base_directory_pathが同一である任意の２つのdirectory_node_pathが、前方一致かつ一方のパスが他方のパスの部分を構成するような設定を禁止するようにパスを決定する手段を有し、
前記制御信号生成部は、決定した前記base_directory_pathおよび前記directory_node_pathを、前記データディレクトリ管理テーブルに配置する手段を有する
放送信号送信装置。
【手続補正２】
【補正対象書類名】明細書
【補正対象項目名】００１０
【補正方法】変更
【補正の内容】
【００１０】
実施形態によれば、
放送番組と前記放送番組に付加されたアプリケーション機能を実現するアプリケーションデータとを放送信号により放送する送信装置において、
前記アプリケーションデータのファイルを生成するアプリケーションデータ生成部と、
前記アプリケーションデータ生成部が生成した前記ファイルを前記放送信号により送信する際の制御情報を生成する制御信号生成部と、
前記放送番組を構成する映像データと音声データ、前記アプリケーションデータ生成部が生成する前記アプリケーションデータおよび前記制御信号生成部が生成する前記制御情報とを多重化して多重化ストリームを生成する多重化部と、
前記多重化ストリームを送信する送信部と、
を有し、
前記アプリケーションデータ生成部は、アプリケーションを構成するファイルのディレクトリ構成としてbase_directory_path、及び、directory_node_pathを生成し、
前記base_directory_pathが同一である任意の２つのdirectory_node_pathが、前方一致かつ一方のパスが他方のパスの部分を構成するような設定を禁止するようにパスを決定する手段を有し、
前記制御信号生成部は、決定した前記base_directory_pathおよび前記directory_node_pathを、前記データディレクトリ管理テーブルに配置する手段を有する
放送信号送信装置が提供される。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
所定の遊技を行なう遊技機であって、
可変表示を行ない、表示結果を導出表示する可変表示手段と、
所定表示領域を視認不可又は視認困難とする特別演出を実行する特別演出実行手段と、
特定期間である旨を報知するための特定画像を表示する特定画像表示手段と、
発射された遊技媒体が通過可能な第１経路および第２経路と、を備え、
前記特定期間は、複数回の可変表示が行われる期間であり、
前記特定画像を表示中に前記特別演出が実行されるときは、前記特別演出の実行の前後に渡って継続的に前記特定画像を視認可能とし、
前記特定画像は、前記第１経路および前記第２経路のうちのいずれに遊技媒体を発射すべきかを特定可能な画像である、遊技機。
【手続補正２】
【補正対象書類名】明細書
【補正対象項目名】０００７
【補正方法】変更
【補正の内容】
【０００７】
手段Ａの遊技機は、所定の遊技を行なう遊技機であって、
可変表示を行ない、表示結果を導出表示する可変表示手段と、
所定表示領域を視認不可又は視認困難とする特別演出を実行する特別演出実行手段と、
特定期間である旨を報知するための特定画像を表示する特定画像表示手段と、
発射された遊技媒体が通過可能な第１経路および第２経路と、を備え、
前記特定期間は、複数回の可変表示が行われる期間であり、
前記特定画像を表示中に前記特別演出が実行されるときは、前記特別演出の実行の前後に渡って継続的に前記特定画像を視認可能とし、
前記特定画像は、前記第１経路および前記第２経路のうちのいずれに遊技媒体を発射すべきかを特定可能な画像である、
ことを特徴とする。
さらに、手段１の遊技機は、所定の遊技を行なう遊技機（パチンコ遊技機１）であって、
所定表示領域（演出表示装置９の表示領域）を視認不可又は視認困難とする特別演出（ブラックアウト演出）を実行する特別演出実行手段（演出制御用マイクロコンピュータ１００）と、
特定期間（チャンスゾーン）である旨を報知するための特定画像（チャンスゾーンテロップ９０２）を表示する特定画像表示手段（演出制御用マイクロコンピュータ１００）と、を備え、
前記特定画像を表示中に前記特別演出が実行されるときには、前記特別演出の実行の前後に渡って継続的に前記特定画像を視認可能とする（図１６（Ｄ）に示すように、チャンスゾーンテロップ９０２の表示中にブラックアウト演出が実行されたとしても、チャンスゾーンテロップ９０２は継続的に視認可能とする）ことを特徴とする。